(57)【要約】【課題】小形化および低コスト化を実現することができるガス遮断器を提供する。【解決手段】ガス遮断器１００は、消弧ガスが充填されたタンク１と、タンク１内に固定された固定接触子９、及びタンク１内で固定接触子９に対して離接可能に設けられた可動接触子１３を含む遮断部３０と、可動接触子１３に連結された絶縁ロッド（連結ロッド）２０を含みこの絶縁ロッド２０を介して可動接触子１３を進退動させる駆動力を伝達する伝達部４０とを備え、複数の可動接触子１３が一つの絶縁ロッド２０に連結されており、絶縁ロッド２０に複数のピン連結部（連結軸）２４が設けられ、複数の可動接触子１３は、複数のピン連結部２４にそれぞれ連結されている。【選択図】        図１
2009059581.tif 000002
【特許請求の範囲】
【請求項１】
消弧ガスが充填された容器と、
前記容器内に固定された固定接触子、及び前記容器内で前記固定接触子に対して離接可能に設けられた可動接触子を含む遮断部と、
前記可動接触子に連結された連結ロッドを含み該連結ロッドを介して前記可動接触子を進退動させる駆動力を伝達する伝達部とを備えたガス遮断器において、
複数の前記可動接触子が一つの前記連結ロッドに連結されており、
前記連結ロッドに複数の連結軸が設けられ、複数の前記可動接触子は、複数の前記連結軸にそれぞれ連結されている
ことを特徴とするガス遮断器。
【請求項２】
前記伝達部は、前記連結ロッドを含む面に対して対称形な構造を成している
ことを特徴とする請求項１に記載のガス遮断器。
【請求項３】
２つの前記遮断部を備え、該２つの前記遮断部は、前記連結ロッドを夾んで対称な位置に配置されている
ことを特徴とする請求項１または２に記載のガス遮断器。
【請求項４】
前記伝達部においては、前記連結ロッドの前記可動接触子側に連結する連結部材を、各遮断部毎に前記連結ロッドを夾んで対称な位置に２枚設ける
ことを特徴とする請求項３に記載のガス遮断器。
【請求項５】
前記連結ロッドは、絶縁材料で作製された絶縁ロッドである
ことを特徴とする請求項１から４のいずれか１項に記載のガス遮断器。
【発明の詳細な説明】
【技術分野】
【０００１】
本発明は、消弧ガスが充填されたタンク内に開閉動作をする遮断部を収納したガス遮断器に関し、特に複数の遮断部が一つの連結ロッドを介して駆動する構成の多点切ガス遮断器に関するものである。
【背景技術】
【０００２】
現在、７２ｋＶ以上の超高圧送電系統において、一般的に用いられている多点切ガス遮断器として、例えば特許文献１に開示されている２点切パッファ式ガス遮断器がある。図３は例えば特許文献１に開示されている従来の２点切パッファ式ガス遮断器の横断面図である。図３において、２点切パッファ式ガス遮断器９０は、消弧性ガスが充填されている接地タンク１と、接地タンク１内に収納され開閉動作をする２つのパッファ遮断部３０（図３の右側のパッファ遮断部３０は省略されている）と、この２つのパッファ遮断部３０と外部の駆動装置１０との間に設けられて駆動装置１０の駆動力をパッファ遮断部３０に伝達する伝達部３９とを含んで構成されている。
【０００３】
接地タンク１内には六フッ化硫黄ガス等の消弧性ガスが充填されている。接地タンク１内部には、１つの絶縁支持筒２と２つの絶縁支持筒５（図３の右側の絶縁支持筒５は省略されている）とが設けられている。絶縁支持筒２には、ブラケット３、及びパッファ遮断部３０の主要部が支持されている。一方、絶縁支持筒５には、ブッシング６の中心導体７、導体８、パッファ遮断部３０の固定接触子９が支持されている。また、接地タンク１の外部に駆動装置１０が設けられている。
【０００４】
パッファ遮断部３０は、固定接触子９と、固定接触子９に対して進退動可能に支持されて固定接触子９と離接する可動接触子１３とを有している。可動接触子１３は、パッファシリンダ１１及びロッド１２と一体化されて設けられている。パッファシリンダ１１には、絶縁物ノズル１４が取り付けられている。ブラケット３に固定されたパッファピストン１５とパッファシリンダ１１によってパッファ室１６が形成されている。
【０００５】
パッファ遮断部３０の遮断動作は、駆動装置１０からの駆動力が伝達部３９により２つのパッファ遮断部３０に伝達されて行われる。すなわち、駆動装置１０により操作ロッド１７に加えられる図３の矢印Ｆ方向の駆動力が、伝達部３９の構成要素である、リンク１８、レバー１９、絶縁ロッド２０、リンク２１、Ｖ形リンク２２、及びリンク２３を介して２つのパッファ遮断部３０に伝達され、可動接触子１３やパッファシリンダ１１を図１の矢印Ｇ方向に移動させることによりなされる。省略されている図３の右側のパッファ遮断部３０の可動接触子１３やパッファシリンダ１１は、矢印Ｇと反対方向に移動する。固定接触子９及び可動接触子１３間の開離とともに発生するアークに対しては、パッファ室１６で圧縮された消弧性ガスが、絶縁物ノズル１４を介して吹き付けられて消弧する。
【０００６】
【特許文献１】実開昭６０−１１５４２８号公報
【発明の開示】
【発明が解決しようとする課題】
【０００７】
上記のような構造の２点切パッファ式ガス遮断器９０においては、左右のパッファ遮断部３０の可動接触子１３に連結された２つのリンク２１は、絶縁ロッド２０に設けられた１ヶ所のピン連結部２４に連結されている。
【０００８】
図４は図３の伝達部３９の様子を詳しく示す伝達部３９を図３の矢印Ｅ方向から見た矢印Ｅ視上面図である。図４において、左右のＶ形リンク２２、リンク２３、およびパッファ遮断部３０を概略同一平面上に配置するためには、ピン連結部２４の連結方法において、例えば本例のように、絶縁ロッド２０を夾んで片側に一方のパッファ遮断部３０に連結されたリンク２１、反対側に他方のパッファ遮断部３０に連結されたリンク２１を連結する方法がある。
【０００９】
しかしながら、このような連結の方法では、伝達部３９の構造がピン連結部２４の中心軸を含む面に対して面対称でないので、開閉動作時に、リンク２１を介して駆動力が絶縁ロッド２０に伝達される際、絶縁ロッド２０に図４中矢印Ｈ１，Ｈ２で示すようなねじり方向の力（回転モーメント）が働く、そのため、従来絶縁ロッド２０は、このねじり方向の力に耐えるために所定の太さにする必要があった。また、同様の理由から、リンク２１とＶ形リンク２２を連結するピン２５は、開閉動作時に、図４の上側と下側とがそれぞれ反対方向の力を受けるため、これに抗するべくピンの直径を大きくとる必要があった。
【００１０】
以上の様に、従来の多点切ガス遮断器においては、伝達部３９の構造がピン連結部２４の中心軸を含む面に対して面対称でないので、開閉動作時に作用する回転モーメントに抗するべく、所定の大きさの径とする必要があり、絶縁ロッドやピン連結部を小形化することができなかった。これは遮断器の小形化および低コスト化を阻害するものであり、改善が求められていた。
【００１１】
本発明は、上記に鑑みてなされたものであって、絶縁ロッド(連結ロッド)やピン連結部にかかる力を低減することができ、絶縁ロッドやピン連結部の小形化を図ることができるとともに、ガス遮断器の小形化および低コスト化を実現することができるガス遮断器を提供することを目的とする。
【課題を解決するための手段】
【００１２】
上述した課題を解決し、目的を達成するために、本発明のガス遮断器は、消弧ガスが充填されたタンクと、タンク内に固定された固定接触子、及びタンク内で固定接触子に対して離接可能に設けられた可動接触子を含む遮断部と、可動接触子に連結された連結ロッドを含みこの連結ロッドを介して可動接触子を進退動させる駆動力を伝達する伝達部とを備えたガス遮断器において、複数の可動接触子が一つの連結ロッドに連結されており、連結ロッドに複数の連結軸が設けられ、複数の可動接触子は、複数の連結軸にそれぞれ連結されていることを特徴とする。
【００１３】
なお、ここで「連結する」とは、直接連結するものも、所定の連結部材を介在させて間接的に連結するものも含むものとする。
【発明の効果】
【００１４】
この発明によれば、複数の可動接触子が一つの連結ロッドに連結されており、連結ロッドに複数の連結軸が設けられ、複数の可動接触子は、複数の連結軸にそれぞれ連結されているので、例えば、連結ロッドを夾む２枚のリンクを介して連結軸と可動接触子を連結する等の構造として、連結ロッドを夾む伝達部の構造を対称なものとすることができ、これにより、連結ロッドや連結部にかかる力を低減することができ、連結ロッドやピン連結部の小形化を図ることができるとともに、ガス遮断器の小形化および低コスト化を実現することができる、という効果を奏する。
【発明を実施するための最良の形態】
【００１５】
以下に、本発明にかかるガス遮断器の実施の形態を図面に基づいて詳細に説明する。なお、この実施の形態によりこの発明が限定されるものではない。
【００１６】
実施の形態
図１は本発明の実施の形態の２点切パッファ式ガス遮断器の横断面図である。図２は図１の伝達部の様子を詳しく示す図１の伝達部の矢印Ａ視上面図である。図１において、２点切パッファ式ガス遮断器１００は、消弧性ガスが充填されている接地タンク（容器）１と、接地タンク１内に収納され開閉動作をする２つのパッファ遮断部３０（図１の右側のパッファ遮断部３０は省略されている）と、この２つのパッファ遮断部３０と外部の駆動装置１０との間に設けられて駆動装置１０の駆動力をパッファ遮断部３０に伝達する伝達部４０とを含んで構成されている。
【００１７】
さらに詳細に説明する、接地タンク１内には六フッ化硫黄ガス等の消弧性ガスが充填されている。接地タンク１内部には、１つの絶縁支持筒２と２つの絶縁支持筒５（図１の右側の絶縁支持筒５は省略されている）とが設けられている。絶縁支持筒２には、ブラケット３、及びパッファ遮断部３０の主要部が支持されている（図１の右側のパッファ遮断部３０は省略されている）。一方、絶縁支持筒５には、ブッシング６の中心導体７、導体８、パッファ遮断部３０の固定接触子９が支持されている。２つのパッファ遮断部３０は、伝達部４０の絶縁ロッド２０を中心として面対称な位置に配置されている。また、接地タンク１の外部に駆動装置１０が設けられている。
【００１８】
パッファ遮断部３０は、固定接触子９と、固定接触子９に対して進退動可能に支持されて固定接触子９と離接する可動接触子１３とを有している。可動接触子１３は、パッファシリンダ１１及びロッド１２と一体化されて設けられている。パッファシリンダ１１には、絶縁物ノズル１４が取り付けられている。ブラケット３に固定されたパッファピストン１５とパッファシリンダ１１によってパッファ室１６が形成されている。
【００１９】
パッファ遮断部３０の遮断動作は、駆動装置１０からの駆動力が伝達部４０により２つのパッファ遮断部３０に伝達されて行われる。すなわち、駆動装置１０により操作ロッド１７に加えられる図１の矢印Ｂ方向の駆動力が、伝達部４０の構成要素である、リンク１８、レバー１９、絶縁ロッド２０、リンク２１、Ｖ形リンク２２、及びリンク２３を介して２つのパッファ遮断部３０に伝達され、可動接触子１３やパッファシリンダ１１を図１の矢印Ｃ方向に移動させることによりなされる。省略されている図１の右側のパッファ遮断部３０の可動接触子１３やパッファシリンダ１１は、矢印Ｃと反対方向に移動する。固定接触子９及び可動接触子１３間の開離とともに発生するアークに対しては、パッファ室１６で圧縮された消弧性ガスが、絶縁物ノズル１４を介して吹き付けられて消弧する。絶縁ロッド２０は、絶縁支持筒２内を貫通するように配置され、駆動装置１０側のリンク群とパッファ遮断部３０側のリンク群とを連結している。絶縁ロッド２０は、絶縁材料で作製され、駆動装置１０からの駆動力をパッファ遮断部３０側に伝達するとともに、駆動装置１０とパッファ遮断部３０との間を電気的に絶縁する。
【００２０】
絶縁ロッド２０とリンク２１とを連結する連結部（連結軸）を構成するピン連結部２４は、本実施の形態においては、２箇所に設けられている。すなわち、２つのパッファ遮断部３０に延びるリンク（絶縁ロッド２０に連結する連結部材）２１のそれぞれに対してピン連結部２４が設けられている。そして、図２に示されるように、リンク２１は、絶縁ロッド２０を挟むように、それぞれ２枚が設けられている。そして、絶縁ロッド２０とリンク２１とが構成する構造は、ピン連結部２４に平行な面（図２中一点鎖線Ｄ１）に対して面対称であり、且つピン連結部２４に垂直な面（図２中一点鎖線Ｄ２）に対しても面対称な構造となる。そのため、絶縁ロッド２０にかかるねじり力やピン２５にかかる過大な曲げ力をなくすことができ、絶縁ロッド２０およびピン２５の小形化が可能になる。
【００２１】
以上説明したように、本実施の形態のガス遮断器１００は、２つの可動接触子１３が一つの絶縁ロッド（連結ロッド）２０に連結されており、絶縁ロッド２０に２つのピン連結部（連結軸）２４が設けられ、２つの可動接触子１３は、２つのピン連結部２４にそれぞれ連結されているので、絶縁ロッド２０やピン連結部２４にかかる力を低減することができ、絶縁ロッド２０やピン連結部２４の小形化が可能となる。この結果、ガス遮断器１００の小形化および低コスト化を実現するという効果が得られる。
【００２２】
なお、本実施の形態においては、絶縁ロッド２０とリンク２１とを連結する連結部（連結軸）は、ピン連結部２４によって構成されているが、この構成に限らず、絶縁ロッド２０とリンク２１とが相互に回動可能に軸支される構造のものであればよい。
【００２３】
また、本実施の形態においては、連結箇所が複数設けられる連結部材が絶縁ロッド２０であるが、連結箇所が複数設けられる連結部材は、必ずしも絶縁材料にて作製されている必要はなく、本実施の形態の場合であれば、伝達部４０を構成する他の部材が絶縁材料にて作製されている場合、絶縁ロッド２０が絶縁材料にて作製されているものでなくてもよいこともある。
【産業上の利用可能性】
【００２４】
以上のように、本発明にかかるガス遮断器は、複数の遮断部が一つの連結ロッドを介して駆動する構成の多点切ガス遮断器に好適なものであり、特に、連結ロッドに対するねじり力や連結ピンへの過大な曲げ力を低減して、小形化、低コスト化が要求されるガス遮断器に最適なものである。
【図面の簡単な説明】
【００２５】
【図１】本発明の実施の形態の２点切パッファ式ガス遮断器の横断面図である。
【図２】図１の伝達部の様子を詳しく示す伝達部の矢印Ａ視上面図である。
【図３】従来の２点切パッファ式ガス遮断器の横断面図である。
【図４】図３の伝達部の様子を詳しく示す伝達部の矢印Ｅ視上面図である。
【符号の説明】
【００２６】
１  接地タンク（容器）
２，５  絶縁支持筒
３  ブラケット
６  ブッシング
７  中心導体
８  導体
９  固定接触子
１０  駆動装置
１１  パッファシリンダ
１２  ロッド
１３  可動接触子
１４  絶縁物ノズル
１５  パッファピストン
１６  パッファ室
１７  操作ロッド
１８  リンク
１９  レバー
２０  絶縁ロッド（連結ロッド）
２１  リンク（絶縁ロッド２０に連結する連結部材）
２２  Ｖ形リンク
２３  リンク
２４  ピン連結部（連結軸）
２５  ピン
３０  パッファ遮断部
４０  伝達部
１００  ２点切パッファ式ガス遮断器
【図１】
2009059581.tif 000003
【図２】
2009059581.tif 000004
【図３】
2009059581.tif 000005
【図４】
2009059581.tif 000006